(57)【要約】　　　（修正有）【課題】電池パックを装着した充電式電動工具において、様々な作業場所に適用できるように電池パックと充電式電動工具との装着変更を可能とした。【解決手段】電池パック２０の上面に、工具本体１０における設置部１４と凹凸形状を用いて連結される凹部２１が形成され、凹部の底部に四つの導電プレート２４１〜２４４が設けられる。二つの導電プレート２４２，２４３は充電用で、残りの二つの導電プレート２４１，２４４は工具本体との連結用であり、設置部の底面には、略マトリックス状に、その中の対角線上における導電プレート同士の極性が同一となり、並列している導電プレート同士の極性が異なるように四つの導電プレート１６，１６１が配置され、設置部における並列している導電プレート１６，１６１同士の間隔と極性は、電池パックにおける二つの導電プレート２４１，２４４の間隔と極性に対応している。【選択図】　図２
0003097472.tif 000002
【実用新案登録請求の範囲】
【請求項１】
工具本体１０及び内部に蓄電池を有する電池パック２０から成り、工具本体１０にビットホルダ１２が設けられると共に、工具本体１０の底面に電池パック２０と連結される設置部１４が設けられ、工具本体１０と電池パック２０との間には互いに電気接続する導電プレート１６，１６１，２４１，２４４が設けられ、
前記電池パック２０の上面に工具本体１０における設置部１４の形状と対応する凹部２１が形成され、その凹部２１と工具本体１０の設置部１４とは凹凸形状により連結されると共に、凹部２１の底部に四つの導電プレート２４１，２４２，２４３，２４４が設けられ、その内、二つの導電プレート２４２，２４３は充電用であり、残りの二つの導電プレート２４１，２４４は工具本体１０と連結用であり、更に、設置部１４の底面には、略マトリックス状に、且つその中の対角線上における導電プレート同士の極性が同一となり、並列している導電プレート同士の極性が異なるように四つの導電プレート１６，１６１が配置され、設置部１４における並列している導電プレート１６，１６１同士の間隔と極性は、電池パック２０における二つの導電プレート２４１，２４４の間隔と極性に対応していることを特徴とする電池パック着脱可能な充電式電動工具。
【請求項２】
前記電池パック２０の凹部２１の一端に電池パック２０の側面と連通する開口端２００が形成され、凹部２１における開口端２００の両側底部にそれぞれガイド溝２２が形成されると共に、工具本体１０における設置部１４の両側にそれぞれガイド溝２２と対応するガイド部１５が設けられ、
前記電池パック２０の凹部２１における、開口端２００と反対の端の上面に掛止部材２３が設けられ、その掛止部材２３の上面は電池パック２０の上面から突出すると共に、底部は、スプリング２３２に付勢されるように電池パック２０の内部に挿設され、更に、掛止部材２３の底部に凹部２１へ延出するＬ字形のフック２３１が設けられ、そのフック２３１は凹部２１の底面から突出し、工具本体１０の設置部１４の底面における、ガイド部１５が設けられていない両端にそれぞれフック２３１と対応する掛止溝１４１が形成されることを特徴とする請求項１に記載の電池パック着脱可能な充電式電動工具。
【請求項３】
前記電池パックにおける四つの導電プレート２４１，２４２，２４３，２４４は並列状に配置され、その内、充電用の二つの導電プレート２４２，２４３はそれぞれ中間に位置すると共に、工具本体１０における二つの導電プレート１６，１６１と接続される、二つの導電プレート２４１，２４４はそれぞれ外側に位置することを特徴とする請求項１又は２に記載の電池パック着脱可能な充電式電動工具。
【考案の詳細な説明】
【０００１】
【考案の属する技術分野】
本考案は、特に工具本体を異なる方向からも電池パックに装着できるようにすることで、様々な形状の作業場所に適用できるようにした電池パック着脱可能な充電式電動工具に関するものである。
【０００２】
【従来の技術】
一般に電動工具はパワーが大きいことから、ドリルやドライバ、レンチなどに幅広く用いられている。しかし、従来の電動工具は、動力源を電源コードをコンセントに接続することにより得ていたので、室内での作業においては支障を来たさないが、屋外で作業する場合は非常に不便であった。故に、その後、各メーカーは競って充電式の電動工具を開発した。
【０００３】
図４及び図５に示すように、従来の充電式電動工具は、工具本体４０と電池パック５０とを備え、工具本体４０の上端に稼動部４１を有し、その稼動部４１の一端に各種先端工具を固定するためのビットホルダ４２が設けられると共に、他端には下方へ伸びる中空のグリップ４３が設けられ、更に、グリップ４３の底部に稼動部４１と同一方向に伸びる設置端４３１が設けられ、その設置端４３１は電池パック５０と組み合わされる構成となっている。
【０００４】
また、前記電池パック５０におけるベース体５００の内部に蓄電池が設けられると共に、ベース体５００の一端に工具本体４０におけるグリップ４３の内部に挿設される挿設柱５１が設けられ、その挿設柱５１の周壁に導電プレート５２が設けられ、導電プレート５２は充電用以外に、工具本体４０の内部に挿設された時に、その工具本体４０の内部に設けられた電極と電気接続する役割も持っている。更に、電池パック５０におけるベース体５００の両側にそれぞれ掛止部材５３が設けられると共に、掛止部材５３上にフック５３１が設けられ、そのフック５３１は電池パック５０の挿設柱５１が工具本体４０におけるグリップ４３内に装着される時、工具本体４０における設置端４３１の内側に固定される構成となっている。
【０００５】
そして、前記電動工具を使用する時は、単にグリップ４３の一側に設けられる引き金４４を押圧して起動させるだけでよく、また、ビットホルダ４２の正逆回転を変更したい時は、グリップ４３における、稼動部４１と近い端に設けられる切換えスイッチ４５により切換えを行なうことができる。
【０００６】
【考案が解決しようとする課題】
しかし、上述したように、前記既存の充電式電動工具における電池パックと工具本体とは接続が互いに縦挿設式であり、一方向からの取付けしか出来ないと共に、電池パック５０と工具本体４０における稼動部４１とは共に同一方向に伸びる形状を成し、且つ電池パック５０は稼動部４１よりやや短い形状を成すので、一般的な平坦面、例えば、壁面や箱体などの平坦面で作業するときには何ら支障はないが、作業場所が凹部に位置していたり、作業場所の周囲に突出物などがある場合には、電池パック５０が凹部の壁面や周囲の突出物に接触し易くなるので、作業の妨げになる恐れがある。
【０００７】
【課題を解決するための手段】
本考案は、工具本体１０及び内部に蓄電池を有する電池パック２０から成り、工具本体１０にビットホルダ１２が設けられると共に、工具本体１０の底面に電池パック２０と連結される設置部１４が設けられ、工具本体１０と電池パック２０との間には互いに電気接続する導電プレート１６，１６１，２４１，２４４が設けられ、前記電池パック２０の上面に工具本体１０における設置部１４の形状と対応する凹部２１が形成され、その凹部２１と工具本体１０の設置部１４とは凹凸形状により連結されると共に、凹部２１の底部に四つの導電プレート２４１，２４２，２４３，２４４が設けられ、その内、二つの導電プレート２４２，２４３は充電用であり、残りの二つの導電プレート２４１，２４４は工具本体１０と連結用であり、更に、設置部１４の底面には、略マトリックス状に、且つその中の対角線上の導電プレート同士の極性が同一となり、並列している導電プレート同士の極性が異なるように四つの導電プレート１６，１６１が配置され、設置部１４における並列している導電プレート１６，１６１同士の間隔と極性は、電池パック２０における二つの導電プレート２４１，２４４の間隔と極性に対応していることを特徴とする電池パック着脱可能な充電式電動工具を提供する。
【０００８】
【作用】
本考案は、上述の課題を解決するものであり、電池パックの上面に工具本体における設置部の形状と対応する凹部が形成され、その凹部と工具本体の設置部とは凹凸形状により連結されると共に、凹部の底部に四つの導電プレートが設けられ、その内、二つの導電プレートは充電用であり、残りの二つの導電プレートは工具本体と連結用であり、更に、設置部の底面には、略マトリックス状に、且つその中の対角線上の導電プレート同士の極性が同一となり、並列している導電プレート同士の極性が異なるように四つの導電プレートが配置され、設置部における並列している導電プレート同士の間隔と極性は、電池パックにおける二つの導電プレートの間隔と極性に対応している構成であることから、工具本体を異なる方向からも電池パックに装着できるので、様々な作業場所や作業状態に適用できる。
【０００９】
【考案の実施の形態】
以下、添付図面を参照して本考案の好適な実施の形態を詳細に説明する。
図１は本考案に係る電池パック着脱可能な充電式電動工具の部分側面透視図であり、図２は本考案に係る電池パック着脱可能な充電式電動工具の部分分解斜視図であり、図３は本考案に係る電池パック着脱可能な充電式電動工具において、電池パックを他の方向から工具本体に装着した状態を示す側面図である。
【００１０】
図１に示すように、本考案の電池パック着脱可能な充電式電動工具は、工具本体１０及び内部に蓄電池を有する電池パック２０から成り、工具本体１０の上部に稼動部１１が設けられ、稼動部１１の一端にビットホルダ１２が設けられると共に、他端に縦方向に伸びるグリップ１３が設けられ、そのグリップ１３の自由端に横方向に伸びる設置部１４が設けられる。
更に、本考案では前記従来の電動工具の欠点を解消するために、電動工具における工具本体１０の設置部１４と電池パック２０との組み合わせ方式を横型装着方式にすることにより、電池パック２０を、例えば図１に示すように、工具本体１０における稼動部１１と同一方向へ伸びるように、或いは図３に示すように、図１と逆方向へ伸びるように装着できるようにした。
【００１１】
図１及び図２に示すように、前記工具本体１０における設置部１４の底端両側にそれぞれ外側へ延出するガイド部１５が設けられると共に、設置部１４における、グリップ１３と異なる端面に、略マトリックス状に、且つその中の対角線上における導電プレート同士の極性が同一となり、並列している導電プレート同士の極性が異なるように四つの導電プレート１６，１６，１６１，１６１が配設される。更に、導電プレート１６，１６１と設置部１４の周壁との間に掛止溝１４１が凹設され、これら掛止溝１４１やガイド部１５により工具本体１０と電池パック２０とが組み合わされる。
【００１２】
また、前記電池パック２０の内部には蓄電池（図示せず）が組み込まれ、電池パック２０の上面に工具本体１０における設置部１４の形状と対応する凹部２１が形成されると共に、電池パック２０の凹部２１の一端に電池パック２０の側面と連通する開口端２００が形成され、凹部２１における開口端２００の底部両側にそれぞれガイド溝２２が形成され、工具本体１０における設置部１４の両側にそれぞれガイド溝２２と対応するガイド部１５が設けられる。更に、電池パック２０の凹部２１における、開口端２００と反対の端の上面に掛止部材２３が設けられ、その掛止部材２３の上面は電池パック２０の上面から突出すると共に、底部は電池パック２０の内部に挿設され、そして、掛止部材２３の底部に凹部２１へ延出するＬ字形のフック２３１が設けられ、そのフック２３１は凹部２１の底面から突出する。
【００１３】
そして、図１に示すように、本実施形態においては前記掛止部材２３をスプリング２３２が付勢するように電池パック２０の内部に挿設し、掛止部材２３の上面を電池パック２０の上面から突出させると共に、フック２３１を凹部２１の底面から上方へ突出させることにより、工具本体１０と電池パック２０とを組み合わせる時、掛止部材２３のフック２３１を工具本体１０における設置部１４の掛止溝１４１の側壁に掛止させる。また、掛止状態において掛止部材２３を押圧すると、フック２３１の掛止状態が開放される。
【００１４】
更に、前記凹部２１の底面に並列状に四つの導電プレート２４１，２４２，２４３，２４４が配置され、その内、最も外側に位置する二つの導電プレート２４１，２４４の間隔及び極性は、工具本体１０における設置部１４の底面に並列状に配置される二つの導電プレート１６，１６１と対応し、組み合わせ時に電気接続し、また、その他の中間に位置する二つの導電プレート２４２，２４３は、充電時に用いられる。
【００１５】
次に、電池パック２０を工具本体１０の底部に組合わせる時は、工具本体１０における設置部１４の両側のガイド部１５を電池パック２０の二つのガイド溝２２内に挿入し、電池パック２０における掛止部材２３のフック２３１で設置部１４における掛止溝１４１の内側面を掛止する。この時、設置部１４の底面に位置する二つの導電プレート１６，１６１は電池パック２０上の導電プレート２４１，２４４と電気接続しているので、工具本体１０における引き金（符号なし）を引けば電動工具を起動させることができる。
【００１６】
上述した構成から、本考案では、図１に示すような電池パック２０と工具本体１０とが同一方向に伸びる形態となるように組み合わせることもでき、反対に図３に示すような逆方向に伸びるように反転組み合わせすることもできる。
【００１７】
また、図２に示すように、前記工具本体１０における設置部１４の底部に設けられる導電プレート１６，１６１は、対角線上で同一極性となるように構成されることから、電池パック２０と工具本体１０とを図３に示すような逆方向に伸びるように組み合わせても、図１に示す組み合わせ形態と同一の極性となるので、導電プレート同士を電気接続させることができる。
【００１８】
【考案の効果】
本考案は上記の構成を有し、工具本体を異なる方向からも電池パックに装着できるようにすることにより、様々な作業場所に適用できるので、優れた実用性を提供することができる。
【図面の簡単な説明】
【図１】本考案に係る電池パック着脱可能な充電式電動工具の部分側面透視図である。
【図２】本考案に係る電池パック着脱可能な充電式電動工具の部分分解斜視図である。
【図３】本考案に係る電池パック着脱可能な充電式電動工具において、電池パックを他の方向から工具本体に装着した状態を示す側面図である。
【図４】従来の電池パック着脱可能な充電式電動工具の分解斜視図である。
【図５】従来の電池パック着脱可能な充電式電動工具の側面図である。
【符号の説明】
１０　　　　　工具本体
１１　　　　　稼動部
１２　　　　　ビットホルダ
１３　　　　　グリップ
１４　　　　　設置部
１４１　　　　掛止溝
１５　　　　　ガイド部
１６，１６１　　　　導電プレート
２０　　　　　電池パック
２００　　　　開口端
２１　　　　　凹部
２２　　　　　ガイド溝
２３　　　　　掛止部材
２３１　　　　フック
２３２　　　　スプリング
２４１〜２４４　　　　導電プレート
４０　　　　　工具本体
４１　　　　　稼動部
４２　　　　　ビットホルダ
４３　　　　　グリップ
４３１　　　　設置端
４４　　　　　引き金
４５　　　　　切換えスイッチ
５０　　　　　電池パック
５００　　　　ベース体
５１　　　　　挿設柱
５２　　　　　導電プレート
５３　　　　　掛止部材
５３１　　　　フック
【図１】
0003097472.tif 000003
【図２】
0003097472.tif 000004
【図３】
0003097472.tif 000005
【図４】
0003097472.tif 000006
【図５】
0003097472.tif 000007